(57)【特許請求の範囲】
【請求項１】
充放電可能な電池セル又は単位モジュールを多数個含む電池モジュールが２つ以上配列された状態でパックハウジングとベースプレートとの間の空間に内蔵されている構造の電池パックであって、
前記ベースプレートの一側である第１面と他側である第２面には、それぞれ第１壁及び第２壁が位置し、前記第１壁及び第２壁にはそれぞれ外部入出力端子が位置し、
前記電池モジュールは、互いに電気的に直列又は並列接続された状態で前記外部入出力端子に接続されており、前記第１壁及び第２壁上の外部入出力端子に隣接する一側にはキャパシタが装着されており、
前記キャパシタは前記外部入出力端子に電気的に接続されており、かつ前記キャパシタは前記第１壁又は前記第２壁を経由してベースプレートに接地されていることを特徴とする、電池パック。
【請求項２】
前記第１壁は前面外壁であり、前記第１面はベースプレートの前面であり、前記第２壁は後面外壁であり、前記第２面はベースプレートの後面であることを特徴とする、請求項１に記載の電池パック。
【請求項３】
前記電池モジュールと後面外壁との間にはＢＤＵ（Battery Disconnect Unit）が装着されており、前記電池モジュールは、ＢＤＵを経由して前記後面外壁で外部入出力端子に電気的に接続されていることを特徴とする、請求項２に記載の電池パック。
【請求項４】
前記ＢＤＵと外部入出力端子は、前記後面外壁でバスバー又はワイヤによって電気的に接続されていることを特徴とする、請求項３に記載の電池パック。
【請求項５】
前記バスバー又はワイヤに前記キャパシタが電気的に接続されていることを特徴とする、請求項４に記載の電池パック。
【請求項６】
前記第１壁又は第２壁上の他の１つの外部入出力端子に隣接する他側には、他の１つのキャパシタが装着されており、前記他の１つのキャパシタは、前記他の１つの外部入出力端子に電気的に接続されていることを特徴とする、請求項１に記載の電池パック。
【請求項７】
前記第１壁又は第２壁の外面には、第１壁又は第２壁から外向きに突出したコネクタ部が形成されており、前記第１壁又は第２壁の内面には、コネクタ部に電気的に接続された状態で外部入出力端子が内向きに突出しており、前記外部入出力端子の一側にキャパシタ収納部が位置し、前記キャパシタはキャパシタ収納部に装着されていることを特徴とする、請求項１に記載の電池パック。
【請求項８】
前記キャパシタ収納部は、ボルト及びナットによって前記第１壁又は第２壁に装着されていることを特徴とする、請求項７に記載の電池パック。
【請求項９】
前記キャパシタは第１キャパシタ及び第２キャパシタからなっており、前記第１キャパシタは、外部入出力端子の正極端子に電気的に接続されており、前記第２キャパシタは、外部入出力端子の負極端子に電気的に接続されていることを特徴とする、請求項１に記載の電池パック。
【請求項１０】
前記第１キャパシタ及び第２キャパシタは、互いに電気的に接続された状態で接地されていることを特徴とする、請求項９に記載の電池パック。
【請求項１１】
前記第１キャパシタ及び第２キャパシタが接地される導電部がベースプレートに形成されており、前記第１キャパシタ及び第２キャパシタは、導電部を経て、電池パックが装着される車両のシャーシ（chassis）に接地されることを特徴とする、請求項１０に記載の電池パック。
【請求項１２】
前記電池パックは、
前記電池モジュールの上端に装着されて電圧を検出するセンシングアセンブリと、
前記電池モジュールを支持できるように、電池モジュールの上端に配列方向に装着されている一対のテンションバー（tension bars）と、
前記電池モジュールにおける最外側電池モジュールの外側に隣接して装着される一対のエンドプレートと、
前記エンドプレートの一側に装着されているＢＭＳ（battery management system）と、
をさらに含み、前記配列された電池モジュールはベースプレート上に搭載され、前記パックハウジングは、電池モジュールとＢＭＳを取り囲みながら、パックハウジングの外周面がベースプレートと前面及び後面外壁と結合されていることを特徴とする、請求項１に記載の電池パック。
【請求項１３】
前記電池セルは、金属層と樹脂層を含むラミネートシートのケースに電極積層体を内蔵した後、外周面をシールした構造からなることを特徴とする、請求項１に記載の電池パック。
【請求項１４】
前記電池セルは、電池カートリッジの内部に装着されていることを特徴とする、請求項１に記載の電池パック。
【請求項１５】
前記カートリッジは、電池セルの両側面のうちの少なくとも一側面が開放された状態で、電池セルの外周面を固定する少なくとも一対の板状型フレームからなっていることを特徴とする、請求項１４に記載の電池パック。
【請求項１６】
前記電池モジュールのうち最内側に位置する電池モジュールの間に装着されるミドルプレートをさらに含むことを特徴とする、請求項１に記載の電池パック。
【請求項１７】
前記電池モジュールは、長方形の構造からなっており、電極端子が上面に向かうように直立した状態で側面が互いに接する配列でベースプレート上に搭載されていることを特徴とする、請求項１に記載の電池パック。
【請求項１８】
前記電池モジュールは、直立状態で電池モジュールの高さが幅よりも相対的に大きいことを特徴とする、請求項１７に記載の電池パック。
【請求項１９】
前記電池モジュールの上端部の動きを減少させることができるように、パックハウジングの内面と電池モジュールの外面との間の空間に介在しているトップスペーサー（top spacer）をさらに含むことを特徴とする、請求項９に記載の電池パック。
【請求項２０】
前記キャパシタの許容電圧はＤＣ０Ｖ〜１０００Ｖ以下であることを特徴とする、請求項１に記載の電池パック。
【請求項２１】
前記電池セルはリチウム二次電池であることを特徴とする、請求項１に記載の電池パック。
【請求項２２】
請求項１から２１のいずれか一項に記載の電池パックを電源として含んでいることを特徴とする、デバイス。
【請求項２３】
前記デバイスは、携帯電話、携帯用コンピュータ、スマートフォン、タブレットＰＣ、スマートパッド、ネットブック、ＬＥＶ（Light Electronic Vehicle）、電気自動車、ハイブリッド電気自動車、プラグインハイブリッド電気自動車、及び電力貯蔵装置からなる群から選択されることを特徴とする、請求項２２に記載のデバイス。
【発明の詳細な説明】
【技術分野】
【０００１】
本発明は、ノイズ低減部材を含む電池パックに関する。
【背景技術】
【０００２】
近年、充放電可能な二次電池は、ワイヤレスモバイル機器のエネルギー源として広範囲に使用されている。また、二次電池は、化石燃料を使用する既存のガソリン車両、ディーゼル車両などの大気汚染などを解決するための方案として提示されている電気自動車（ＥＶ）、ハイブリッド電気自動車（ＨＥＶ）などの動力源としても注目されている。
【０００３】
小型モバイル機器には、デバイス１台当たり１個、又は２〜４個の電池セルが使用される一方、自動車などのような中大型デバイスには、高出力大容量の必要性により、多数の電池セルまたは電池モジュールを電気的に接続した電池パックが使用される。所定の装置乃至デバイスで要求される出力及び容量を提供するために、多数の電池セルまたは電池モジュールを直列接続することができる。
【０００４】
このような電池パックは、電気自動車に装着されているインバータなどと接続される場合、インバータなどから発生するノイズによって電池パック全体の出力が不安定になるという問題がある。
【０００５】
具体的に、インバータは、電池パックから入る直流電流を高速スイッチングを行って交流電流に変換する過程でノイズ電流を生成するようになる。前記のように生成されたノイズ電流は、インバータと電池パックの外部入出力端子を接続する電源線を介して伝導されたり、電子誘導及び静電誘導などを介して誘導されたりして、外部入出力端子の出力端に影響を及ぼすことになる。これは、電池パックの出力の安定性を悪化させる、すなわち、出力が上下する。
【発明の概要】
【発明が解決しようとする課題】
【０００６】
したがって、本発明は、上記のような従来技術の問題点及び過去から要請されてきた技術的課題を解決することを目的とする。
【０００７】
具体的に、本発明の目的は、電池パックが自動車などに装着されて使用される場合、電池パックに接続されたインバータなどから発生するノイズによって電池パックの出力が干渉を受けることを防止して、電池パックの出力の安定性を向上させることができ、電池パックの組立及び修理中に作業者が高電圧に露出することを防止することができる電池パックを提供することである。
【課題を解決するための手段】
【０００８】
このような目的を達成するための本発明に係る電池パックは、
充放電可能な電池セル又は単位モジュールを多数個含む電池モジュールが２つ以上配列された状態でパックハウジングとベースプレートとの間の空間に内蔵されている構造の電池パックであって、
前記ベースプレートの一側である第１面と他側である第２面には、それぞれ第１壁及び第２壁が位置し、前記第１壁及び第２壁にはそれぞれ外部入出力端子が位置し；
前記電池モジュールは、互いに電気的に直列又は並列接続された状態で前記外部入出力端子に接続されており、前記第１壁及び第２壁上の外部入出力端子に隣接する一側にはキャパシタ（capacitor）が装着されていてもよい。
【０００９】
前記キャパシタは、前記外部入出力端子に電気的に接続された状態で前記第１壁又は第２壁を経由してベースプレートに接地されている構造からなることができる。
【００１０】
前記第１壁は前面外壁であってもよく、前記第１面はベースプレートの前面であってもよく、前記第２壁は後面外壁であってもよく、前記第２面はベースプレートの後面であってもよい。
【００１１】
前記キャパシタは、直流電流の流れは遮断し、交流電流の流れは流れるようにする特性を有する一般的な構造のキャパシタであってもよい。それによって、前記キャパシタはノイズ電流を減少させることができる。
【００１２】
したがって、本発明によれば、電池パックは、キャパシタが、外部入出力端子に電気的に接続されており、第１壁又は第２壁を経由してベースプレートに接地されているので、電池パックが自動車などに装着されて使用される場合、電池パックに接続されたインバータなどから発生するノイズによって電池パックの出力が干渉を受けることを防止して、電池パックの出力の安定性を向上させることができ、電池パックの組立及び修理中に作業者が高電圧に露出することを防止することができる。
【００１３】
前記電池モジュールと後面外壁との間にはＢＤＵ（Battery Disconnect Unit）が装着されており、前記電池モジュールは、ＢＤＵを経由して前記後面外壁で外部入出力端子に電気的に接続されていてもよい。具体的に、前記電池モジュールはＢＤＵに電気的に接続されていてもよく、前記ＢＤＵは、前記前面外壁及び後面外壁に位置している外部入出力端子に、前記電池モジュールから集められた電気をそれぞれ分配する構造であってもよい。
【００１４】
前記ＢＤＵと外部入出力端子は、前記後面外壁でバスバー又はワイヤによって電気的に接続されていてもよく、前記キャパシタは、前記バスバー又はワイヤに電気的に接続されていてもよい。
【００１５】
前記第１壁又は第２壁上の他の１つの外部入出力端子に隣接する他側には、他の１つのキャパシタが装着されていてもよく、前記他の１つのキャパシタは、前記他の１つの外部入出力端子に電気的に接続されていてもよい。
【００１６】
本発明の具体例において、前記第１壁又は第２壁の外面には、第１壁又は第２壁から外向きに突出したコネクタ部が形成されていてもよく、前記第１壁又は第２壁の内面には、コネクタ部に電気的に接続された状態で外部入出力端子が内向きに突出していてもよく、前記外部入出力端子の一側にキャパシタ収納部が位置し、前記キャパシタはキャパシタ収納部に装着されていてもよい。前記第１壁又は第２壁の内面は、電池モジュールが内蔵されている電池パックの内部方向の面を意味し、前記第１壁又は第２壁の外面は、電池パックの外部方向の面を意味する。
【００１７】
前記キャパシタ収納部は、ボルト及びナットによって前記第１壁又は第２壁に装着されていてもよい。
【００１８】
具体的に、前記キャパシタは第１キャパシタ及び第２キャパシタからなっていてもよく、前記第１キャパシタは、外部入出力端子の正極端子に電気的に接続されていてもよく、前記第２キャパシタは、外部入出力端子の負極端子に電気的に接続されていてもよい。
【００１９】
前記第１キャパシタ及び第２キャパシタは、互いに電気的に接続された状態で接地されていてもよい。したがって、電池パックの組立工程において、キャパシタを外壁を経由してベースプレートに接地させる工程を簡素化することができる。
【００２０】
具体的に、前記ベースプレートには、第１キャパシタ及び第２キャパシタが接地される導電部が形成されていてもよく、前記第１キャパシタ及び第２キャパシタは、前記導電部を経て、電池パックが装着される車両のシャーシ（chassis）に接地されていてもよい。前記導電部は、前記ベースプレートに全体的に形成されている絶縁性塗色の一部を塗色しないことによって形成することができる。
【００２１】
本発明の一つの具体例として、前記電池パックは、
前記電池モジュールの上端に装着されて電圧を検出するセンシングアセンブリと、
前記電池モジュールを支持できるように、電池モジュールの上端に配列方向に装着されている一対のテンションバー（tension bars）と、
前記電池モジュールにおける最外側電池モジュールの外側に隣接して装着される一対のエンドプレートと、
前記エンドプレートの一側に装着されているＢＭＳ（battery management system）と、
をさらに含んでいてもよく、
前記配列された電池モジュールはベースプレート上に搭載され、前記パックハウジングは、電池モジュールとＢＭＳを取り囲みながら、パックハウジングの外周面がベースプレートと前面及び後面外壁と結合されていてもよい。
前記電池セルは、金属層と樹脂層を含むラミネートシートのケースに電極積層体を内蔵した後、外周面をシールした構造となっていてもよい。前記ラミネートシートは、優れた耐久性の樹脂外層、遮断性の金属層、及び熱溶融性の樹脂シーラント層を含む形態からなっており、前記樹脂シーラント層が互いに熱融着される形態であってもよい。
前記樹脂外層は、外部環境から優れた耐性を有しなければならないため、所定以上の引張強度及び耐候性を有することが必要である。そのような観点で、樹脂外層の高分子樹脂としては、ポリエチレンテレフタレート（ＰＥＴ）と延伸ナイロンフィルムを使用することができるが、これらに限定されるものではない。
前記遮断性金属層は、ガス、湿気などの異物の流入乃至漏出を防止する機能以外に、電池ケースの強度を向上させる機能を発揮できるように、例えば、アルミニウムを使用することができる。
前記樹脂シーラント層は、例えば、熱融着性（熱接着性）を有し、電解液の侵入を抑制するために吸湿性が低く、電解液によって膨張又は腐食しないポリオレフィン（polyolefin）系樹脂を使用することができ、一つの具体例として、無延伸ポリプロピレン（ＣＰＰ）を使用することができる。
前記電池セルは、フレーム構造の電池カートリッジの内部に装着されていてもよい。具体例として、前記カートリッジは、電池セルの両側面のうちの少なくとも一側面が開放された状態で電池セルの外周面を固定する少なくとも一対の板状型フレームからなることができる。
前記電池パックは、前記電池モジュールのうち最内側に位置する電池モジュールの間に装着されるミドルプレートをさらに含んでいてもよい。
具体的に、電気自動車、ハイブリッド電気自動車、プラグインハイブリッド電気自動車のいずれか１つに本発明に係る電池パックが装着される場合、前記電池パックは、運転席と助手席との間の空間に装着されていてもよく、それによって、電池パックは、それが装着される車両のサイドクラッシュビームを貫通して装着されるようになり、断絶されたサイドクラッシュビームを支持できるように、電池パックの内部には、サイドクラッシュビームと接するクラッシュビームを含むミドルプレートが装着されていてもよい。
前記電池モジュールは、長方形の構造からなっており、電極端子が上面に向かうように直立した状態で側面が互いに接する配列でベースプレート上に搭載されていてもよい。
具体的に、前記電池モジュールは、直立状態で電池モジュールの高さが幅よりも相対的に大きい構造からなっていてもよい。前記電池モジュールの幅、すなわち、前記電池セルが相互界面が接合するように配列される方向での長さは、前記電池モジュールの高さの５０％〜８０％の大きさとなっていてもよい。
【００２２】
また、前記電池パックは、前記電池モジュールの上端部の動きを減少させることができるように、パックハウジングの内面と電池モジュールの外面との間の空間に介在しているトップスペーサー（top spacer）をさらに含んでいてもよい。
【００２３】
具体的に、前記キャパシタの許容電圧はＤＣ０Ｖ〜１０００Ｖ以下であってもよい。前記キャパシタの電圧がＤＣ１０００Ｖを超える場合には、インバータなどから発生するノイズを適宜除去することができない。
【００２４】
前記電池セルは、リチウム二次電池であってもよく、具体的に、リチウムイオン電池又はリチウムイオンポリマー電池であってもよい。
【００２５】
本発明はまた、前記電池パックを電源として含んでいるデバイスを提供する。
【００２６】
前記デバイスは、具体的に、携帯電話、携帯用コンピュータ、スマートフォン、タブレットＰＣ、スマートパッド、ネットブック、ＬＥＶ（Light Electronic Vehicle）、電気自動車、ハイブリッド電気自動車、プラグインハイブリッド電気自動車、及び電力貯蔵装置からなる群から選択される１つであってもよい。
【００２７】
前記のデバイスの構造及び作製方法は当業界に公知となっているので、本明細書では、それについての詳細な説明を省略する。
【図面の簡単な説明】
【００２８】
【図１】本発明の一実施例に係る電池モジュールの斜視図である。
【図２】図１の電池モジュールの分解図である。
【図３】本発明の一実施例に係る電池モジュール及びホールドダウンブラケットに対する斜視図である。
【図４】本発明の一実施例に係る電池パックの斜視図である。
【図５】図４のパックハウジングが除去された電池パックの斜視図である。
【図６】図５の電池パックの側面図である。
【図７】図４の電池パックの後面外壁の内面方向の正面図である。
【図８】図４の電池パックの後面外壁の斜視図である。
【図９】本発明の一実施例に係る電池パックの回路図である。
【発明を実施するための形態】
【００２９】
以下では、本発明の実施例に係る図面を参照して説明するが、これは、本発明のより容易な理解のためのものであり、本発明の範疇がそれによって限定されるものではない。
【００３０】
図１には、本発明の一実施例に係る電池モジュールの斜視図が示されており、図２には、図１の電池モジュールの分解図が示されており、図３には、本発明の一実施例に係る電池モジュール及びホールドダウンブラケットに対する斜視図が示されている。
【００３１】
図１及び図２を参照すると、電池モジュール１１０は、電池セル１０、カートリッジ２０、冷却部材３０、緩衝部材４０、絶縁部材５０、エンドプレート６０、バスバーアセンブリ８０及び冷却マニホールド９０からなっている。
【００３２】
電池セル１０は、金属層と樹脂層を含むラミネートシートのケースに電極積層体を内蔵した後、外周面をシールした構造のパウチ型電池セルであって、一辺に正極端子１１及び負極端子１２が同一線上に形成されている。
【００３３】
カートリッジ２０の中央部位には、電池セル１０を装着するための電池セル収納部２２が形成されており、２つの電池セル１０が、それらの間に冷却部材３０が介在した状態で電池セル収納部２２の前面及び後面の両方向に装着される。
【００３４】
このように、電池セル１０及び冷却部材３０が装着された複数のカートリッジ２０は、電池セル１０の側面が接する方向に配列され、最外郭に位置する電池セル１０には緩衝部材４０が装着され、緩衝部材４０には絶縁部材５０が重ねて当てられ、最後に絶縁部材５０上にエンドプレート６０が装着される。
【００３５】
カートリッジ２０、絶縁部材５０及びエンドプレート６０のそれぞれの４つの角部には締結口２１，５１，６１が形成されており、前記のように配列された電池モジュール１１０をなす部材は、締結口２１，５１，６１に締結ボルト７０が挿入されてこれら部材が結合及び固定される構造となっている。
【００３６】
このように接続された電池セル１０の上端にはセンシングアセンブリ８０が装着され、センシングアセンブリ８０は、電池セル１０を直列及び／又は並列に接続し、電圧を検出し、安全素子を備えることによって、電池モジュール１１０が異常作動する場合に電気の流れを遮断する機能を行う。
【００３７】
電池セル１０の下端には冷却マニホールド９０が装着される。冷却マニホールド９０は、冷却部材３０の冷媒導管３１と連結されて冷媒導管３１に冷媒を流れるようにする。
【００３８】
図３を参照すると、複数の電池モジュール１１０は、側面方向に配列されてベースプレート１２０上に装着され、固定部材であるホールドダウンブラケット１８０によって固定される。具体的には、電池モジュール１１０の下端突出部１１１（図１参照）の上端をホールドダウンブラケット１８０が加圧し、ホールドダウンブラケット１８０は、ボルト及びナットを用いてベースプレート１２０に固定される構造となっている。
【００３９】
図４には、本発明の一実施例に係る電池パックの斜視図が示されており、図５には、図４のパックハウジングが除去された電池パックの斜視図が示されており、図６には、図５の側面図が示されており、図７には、図４の電池パックの後面外壁の内面方向の平面図が示されており、図８には、図４の電池パックの後面外壁の斜視図が示されている。
【００４０】
図４乃至図８を参照すると、電池パック１００は、電池モジュール１１０、ベースプレート１２０、センシングアセンブリ（図示せず）、テンションバー（図示せず）、前面外壁１３０、後面外壁１４０、ＢＭＳ１５０、ＢＤＵ１９０、パックハウジング１６０及びトップスペーサー１７０からなっている。
【００４１】
電池モジュール１１０は、ベースプレート１２０上に、側面が互いに接するように配列されており、電池モジュール１１０の中央にはミドルプレート１０１が装着されている。
【００４２】
ベースプレート１２０の前面と後面には、それぞれ前面外壁１３０及び後面外壁１４０が位置し、前面外壁１３０及び後面外壁１４０には、それぞれ外部入出力端子１３１，１４１が形成されている。
【００４３】
電池モジュール１１０は、互いに電気的に直列又は並列接続された状態でＢＤＵ１９０に接続されており、ＢＤＵ１９０は、前面外壁１３０及び後面外壁１４０上の外部入出力端子１３１，１４１にバスバーによって電気的に接続されている。
【００４４】
電池モジュール１１０の上端には、電圧を検出するセンシングアセンブリが装着されており、センシングアセンブリの両端には、テンションバーが、電池モジュール１１０を支持できるように、電池モジュール１１０の上端に電池モジュール１１０の配列方向に装着されている。
【００４５】
最外側電池モジュール１１０の外側にはＢＭＳ１５０が隣接して装着されており、パックハウジング１６０は、電池モジュール１１０とＢＭＳ１５０を取り囲みながら、下端がベースプレート１２０と結合されている。パックハウジング１６０とベースプレート１２０は、ボルト及びナット（図示せず）によって結合されている。
【００４６】
パックハウジング１６０の内面と電池モジュール１１０の上端面との間の空間にはトップスペーサー１７０が介在している。
【００４７】
電池モジュール１１０は長方形の構造となっており、電池モジュール１１０の高さＨは、それの幅Ｗよりも相対的に大きい構造であり、具体的に、電池モジュール１１０の幅Ｗは、それの高さＨの約６０％の長さとなっている。
【００４８】
後面外壁１４０の外面には、外壁から外向きに突出したコネクタ部１４２が形成されており、後面外壁１４０の内面には、コネクタ部１４２に電気的に接続された状態で外部入出力端子１４１が内向きに突出しており、前記外部入出力端子１４１の一側にキャパシタ収納部１４３が位置し、第１キャパシタ１４４及び第２キャパシタ１４５はキャパシタ収納部１４３に装着されている。
【００４９】
第１キャパシタ１４４は、外部入出力端子１４１の正極端子１４６に電気的に接続されており、前記第２キャパシタ１４５は、外部入出力端子１４１の負極端子１４７に電気的に接続されている。
【００５０】
第１キャパシタ１４４及び第２キャパシタ１４５は、互いに電気的に接続された状態で後面外壁１４０を経由してベースプレート１２０に接地されており、ベースプレート１２０に形成されている導電部（図示せず）を経て、電池パック１００が装着される車両（図示せず）のシャーシに接地されている。
【００５１】
図９には、本発明の一実施例に係る電池パックの回路図が示されている。
【００５２】
図９を参照すると、外部入出力端子１４１に接続されたインバータ２００から発生したノイズ（点線矢印）は、電源線を介して、または電子誘導及び静電誘導などを介して外部入出力端子の出力端に伝播されるため、電池パックの出力の安定性に影響を及ぼすことになる。
【００５３】
このような問題を解決するために、Ｙ−キャパシタは、外部入出力端子１４１の正極端子１４６に第１キャパシタ１４４を接続し、ベースプレート１２０に接地し、外部入出力端子１４１の負極端子１４７に第２キャパシタ１４５を接続し、ベースプレート１２０に接地する構造からなる。
【００５４】
このように構成されたＹ−キャパシタは、直流は通過させず、交流電流は流れるようにする特性を有するので、インバータから発生したノイズを接地されたベースプレート１２０に流し、最終的に、ベースプレート１２０が接地された車両のシャーシ（図示せず）にノイズを流すようになる。
【００５５】
したがって、上述したように、本願発明に係る電池パックは、外部入出力端子の出力端にＹ−キャパシタを電気的に接続し、接続されたキャパシタを電池ケース及び車両のシャーシに接地することによって、電池パックに接続されたインバータなどから発生するノイズによって電池パックの出力が干渉を受けることを防止して、電池パックの出力の安定性を向上させることができ、電池パックの組立及び修理中に作業者が高電圧に露出することを防止することができる。
【００５６】
以上で説明したように、本発明に係る電池パックは、キャパシタが、外部入出力端子に電気的に接続されており、前面及び後面外壁を経由してベースプレートに接地されているので、電池パックが自動車などに装着されて使用される場合、電池パックに接続されたインバータなどから発生するノイズによって電池パックの出力が干渉を受けることを防止して、電池パックの出力の安定性を向上させることができ、電池パックの組立及び修理中に作業者が高電圧に露出することを防止することができる。
【００５７】
本発明の属する分野における通常の知識を有する者であれば、上記内容に基づいて本発明の範疇内で様々な応用及び変形を行うことが可能であろう。
【産業上の利用可能性】
【００５８】
以上で説明したように、本発明に係る電池パックは、キャパシタが、外部入出力端子に電気的に接続されており、第１壁又は第２壁を経由してベースプレートに接地されているので、電池パックが自動車などに装着されて使用される場合、電池パックに接続されたインバータなどから発生するノイズによって電池パックの出力が干渉を受けることを防止して、電池パックの出力の安定性を向上させることができ、電池パックの組立及び修理中に作業者が高電圧に露出することを防止することができる。
【符号の説明】
【００５９】
１０    電池セル
２０    カートリッジ
３０    冷却部材
４０    緩衝部材
５０    絶縁部材
６０    エンドプレート
７０    締結ボルト
９０    冷却マニホールド
１１０    電池モジュール
１２０    ベースプレート
１３０    前面外壁
１３１、１４１    外部入出力端子
１４４    第１キャパシタ
１４５    第２キャパシタ
１５０    ＢＭＳ
１６０    パックハウジング
１７０    トップスペーサー
１８０    ホールドダウンブラケット
１９０    ＢＤＵ
【図１】
0006487461.tif 000002
【図２】
0006487461.tif 000003
【図３】
0006487461.tif 000004
【図４】
0006487461.tif 000005
【図５】
0006487461.tif 000006
【図６】
0006487461.tif 000007
【図７】
0006487461.tif 000008
【図８】
0006487461.tif 000009
【図９】
0006487461.tif 000010